(57)【要約】【課題】輻射面での結露の発生を抑えることができる輻射パネル構造体および空気調和機を提供する。【解決手段】輻射パネル構造体５は、空気取入れ口５１と輻射部５２とを備える。空気取入れ口５１は、温度調整された空気を取り入れる。輻射部５２は、輻射によって室内の温度調整を行う輻射面第１輻射面５４を有し、空気によって大気圧より大きな圧力が生じる圧力発生空間ＰＳを構成する。そして、第１輻射面５４には、１ｍｍ以下の間隔Ｗで配置され空気が吹き出る複数の孔が設けられる。【選択図】        図５
2004251546.tif 000002
【特許請求の範囲】
【請求項１】
温度調整された空気を取り入れる空気取入れ部（５１）と、
輻射によって室内の温度調整を行う輻射面（５４）を有し、前記空気によって大気圧より大きな圧力が生じる圧力発生空間（ＰＳ）を構成する圧力発生空間構成部（５２）と、を備え、
前記輻射面（５４）には、１ｍｍ以下の間隔（Ｗ）で配置され前記空気が吹き出る複数の孔が設けられる、輻射パネル構造体（５）。
【請求項２】
前記輻射面（５４）は、所定の輻射率を有し繊維の目の間の距離（Ｗ）が１ｍｍ以下である繊維系材料によって形成される、請求項１に記載の輻射パネル構造体（５）。
【請求項３】
請求項１または２に記載の輻射パネル構造体（５）と、
前記空気の温度調整を行う温度調整部（２２）と、
温度調整された前記空気を前記輻射パネル構造体（５）の前記空気取入れ部（５１）へと送る送風部（２３）と、を備える空気調和機（１）。
【発明の詳細な説明】
【０００１】
【発明の属する技術分野】
本発明は、輻射パネル構造体および空気調和機に関する。
【０００２】
【従来の技術】
温度調整された空気を室内へと吹き出して室内の温度調整を行う対流型空気調和機がよく利用されている。この対流型空気調和機は、通常、室内へと吹き出される空気が通る吹出し口を備えている。この吹出し口は、例えば、空気調和機の室内機の長手方向に沿って室内機の正面下部に設けられた開口である。対流型空気調和機は、吹出し口から温度調整された空気を室内へと吹き出し、温度調整された空気の対流を室内に発生させる。これによって、温度調整された空気を室内の広範囲に到達させることができ、室内の温度調整を行うことができる（特許文献１参照）。
【０００３】
【特許文献１】
特開２００１−４１４８８号公報
【０００４】
【発明が解決しようとする課題】
しかし、上記のような対流型空気調和機では、ドラフトが発生する恐れがある。すなわち、対流型空気調和機では、吹出し口から吹き出た空気の対流が、室内の居住者等に直接に接触し易い。このため、居住者等が不快感を感じる恐れがある。
【０００５】
そこで、本願出願人は、温度調整された空気の吹出しと輻射とを併用して空気調和を行うことができる輻射パネル構造体および空気調和機を開発中である。この輻射パネル構造体および空気調和機によれば、空気の吹出しと輻射とが併用されるため、吹出しのみによって室内の温度調整が行われる場合と比べて、穏やかな吹出しによって室内の温度調整を行うことができる。このため、この輻射パネル構造体では、ドラフトによる不快感を低減することができる。
【０００６】
しかし、このような輻射パネル構造体および空気調和機においては、結露が生じる恐れがある。すなわち、輻射によって温度調整を行う輻射面と、輻射面の周囲空気とが接触することにより、周囲空気が輻射面の表面で冷却される。これにより、輻射面の表面に結露が生じる恐れがある。
本発明の課題は、輻射面での結露の発生を抑えることができる輻射パネル構造体および空気調和機を提供することにある。
【０００７】
【課題を解決するための手段】
請求項１に記載の輻射パネル構造体は、空気取入れ部と圧力発生空間構成部とを備える。空気取入れ部は、温度調整された空気を取り入れる。圧力発生空間構成部は、輻射によって室内の温度調整を行う輻射面を有し、空気によって大気圧より大きな圧力が生じる圧力発生空間を構成する。そして、輻射面には、１ｍｍ以下の間隔で配置され空気が吹き出る複数の孔が設けられる。
【０００８】
この輻射パネル構造体では、輻射面に設けられる複数の孔が１ｍｍ以下の間隔で配置される。つまり、孔と孔との間が十分に近接している。このため、孔から吹き出た空気が互いに干渉し合う。従って、輻射面の表面は、複数の孔から吹き出された温度調整された空気によって覆われる。このため、輻射面の表面と周囲空気とが直接に接触することが抑えられる。これにより、この輻射パネル構造体では、輻射面での結露の発生を抑えることができる。
【０００９】
請求項２に記載の輻射パネル構造体は、請求項１に記載の輻射パネル構造体であって、輻射面は、所定の輻射率を有し繊維の目の間の距離が１ｍｍ以下である繊維系材料によって形成される。なお、輻射面は、輻射による温度調整の観点からは輻射率が０．６以上であることが望ましい。
この輻射パネル構造体では、輻射面が繊維系材料によって形成される。このため、圧力発生空間に生じた大気圧より大きな圧力によって、輻射面の繊維の目の隙間から温度調整された空気が室内へと吹き出される。このため、この輻射パネル構造体では、輻射面からの空気の吹出しが穏やかである。従って、この輻射パネル構造体では、穏やかな吹出しと輻射とによって室内の空気調和を行うことができる。
【００１０】
請求項３に記載の空気調和機は、請求項１または２に記載の輻射パネル構造体と、温度調整部と、送風部とを備える。温度調整部は、空気の温度調整を行う。送風部は、温度調整された空気を輻射パネル構造体の空気取入れ部へと送る。
この空気調和機では、温度調整部によって空気の温度調整が行われ、温度調整された空気が送風部によって空気取入れ部へと送られる。そして、圧力発生空間の空気の温度を利用した吹出し部からの輻射によって室内の温度調整が行われる。また、圧力発生空間の空気が吹出し部から室内へと吹き出される。このように、この空気調和機は、輻射と空気の吹出しとによって室内の温度調整を行うことができる。これにより、この空気調和機では、ドラフトによる不快感を低減することができる。
【００１１】
【発明の実施の形態】
［全体構成］
本発明の一実施形態にかかる空気調和機１を図１に示す。この空気調和機１は、室内機２と室外機３とを備えており、輻射と、温度調整された空気の吹出しとによって冷暖房等の室内の空気調和を行うことができる。なお、図１では、理解の容易のため、空気調和機１の一部が断面図として示されている。
【００１２】
室外機３は、室外に配置され、圧縮機３１、四路切換弁３２、電動弁３３、室外ファン（図示せず）、室外ファンモータ３４、室外機温度センサ３５（以上、図４参照）、室外熱交換器（図示せず）等を備えている。
圧縮機３１、電動弁３３、四路切換弁３２、室外熱交換器等は、後述する室内熱交換器と共に冷媒回路を構成している。室外ファンは、室外ファンモータ３４によって回転駆動され、室外熱交換器を通る空気の流れを生成する。室外機温度センサ３５には、室外熱交換器の温度や室外空気の温度を検出する各種の温度センサが含まれる。
【００１３】
室内機２は、室内の天井面近傍や側壁等の配置され、室内機ケーシング２１、室内熱交換器２２、室内ファン２３、室内ファンモータ２４（図４参照）、室内機温度センサ２５（図４参照）、輻射パネル構造体５などを備えている。
室内機ケーシング２１は、室内熱交換器２２や室内ファン２３等を内部に収納しており、吸込み口２６と接続口２７とを備えている。吸込み口２６は、室内から室内機ケーシング２１内へと取り入れられる空気が通る開口である。接続口２７は、室内機ケーシング２１内で室内熱交換器２２を通って輻射パネル構造体５へと送られる空気が通る開口であり、後述する輻射パネル構造体５の空気取入れ口５１に接続される。
【００１４】
室内熱交換器２２は、室外熱交換器や圧縮機３１等と冷媒配管４を介して接続されている。室内熱交換器２２は、通過する空気との間で熱交換を行うことによって、空気の温度調整を行う。
室内ファン２３は、室内ファンモータ２４によって回転駆動され、室内から取り込まれ輻射パネル構造体５へと送られる空気流を生成する。この空気流は、吸込み口２６から室内機ケーシング２１の内部に取り込まれ、室内熱交換器２２、接続口２７および空気取入れ口５１を通って輻射パネル構造体５の内部へと到る空気の流れである。
【００１５】
室内機温度センサ２５には、室内熱交換器の温度や室内空気の温度等を検出する各種の温度センサが含まれる。
輻射パネル構造体５は、天井面の近傍に配置され、温度調整された空気の温度を利用した輻射と、温度調整された空気の吹出しとによって冷暖房等の空気調和を行う。輻射パネル構造体５の構成については、後に詳細に説明する。
【００１６】
また、空気調和機１は、制御部６を備えている。制御部６は、室外機３と室内機２とに分かれて配置されており、空気調和機１の運転制御を行う。制御部６は、図４に示すように、圧縮機３１、四路切換弁３２、電動弁３３、室外ファンモータ３４、室外機温度センサ３５、室内ファンモータ２４、室内機温度センサ２５などの構成部品と接続されている。制御部６は、リモコン７から運転指令を受けると、各構成部品を制御して空気調和機１の運転制御を行う。
【００１７】
［輻射パネル構造体の構成］
図２に輻射パネル構造体５の外観図を示す。
輻射パネル構造体５は、薄い板状の外形を有しており、平面的な形状となっている。また、輻射パネル構造体５は、天井面の近傍に天井面に平行に配置される。このため、輻射パネル構造体５は、下方の居住空間に対して他の方向よりも大きな投影面積を有している。輻射パネル構造体５は、空気取入れ口５１、輻射部５２および複数の形状保持部材５３等を備えている。
【００１８】
空気取入れ口５１は、温度調整された空気を取り入れる部分であり、輻射パネル構造体５の側面の一つに設けられた開口である。空気取入れ口５１は、室内機ケーシング２１の接続口２７に脱着自在に接続され、室内ファン２３によって送られる空気（白抜き矢印Ａ１参照）が通過する。なお、空気取入れ口５１は、既存の対流型空気調和機の吹出し口に接続可能としてもよい。
【００１９】
輻射部５２は、第１輻射面５４、第２輻射面５５および３つの側面５６からなり、空気によって大気圧より大きな圧力が生じる圧力発生空間ＰＳを内部に構成する。
第１輻射面５４は、四角形の薄いシート状の形状を有しており、圧力発生空間ＰＳの下方を閉じる。第１輻射面５４は、室内の居住空間に面する位置に天井面と平行に配置されている。また、第１輻射面５４は、約０．９の輻射率を有する織布によって形成されている。この織布は、繊維の目の間の距離Ｗが約１００μｍとなっている。なお、この繊維の目の間の距離Ｗとは、孔に相当する繊維の目の隙間の中心から隣接する繊維の目の隙間の中心までの距離である（図５参照）。
【００２０】
第２輻射面５５は、第１輻射面５４と同一の形状であり、圧力発生空間ＰＳの上方を閉じる。第２輻射面５５は、第１輻射面５４と対向しており、天井面に面する位置に配置されている。すなわち、第２輻射面５５は、第１輻射面５４と天井面との間に配置されている。また、第２輻射面５５は、第１輻射面５４と同じ織布で形成されている。
【００２１】
３つの側面５６は、細長い長方形の形状を有しており、空気取入れ口５１を除く圧力発生空間ＰＳの側方を閉じる。３つの側面５６は、第１輻射面５４の３つの辺と第２輻射面５５の３つの辺とをそれぞれ繋いでいる。また、３つの側面５６は、第１輻射面５４および第２輻射面５５と同じ織布で形成されている。
このように、輻射パネル構造体５は、空気取入れ口５１以外が閉じられた袋状の形状を有している。
【００２２】
複数の形状保持部材５３は、間隔を隔てて配置される糸状の部材である。複数の形状保持部材５３は、それぞれ同じ長さを有しており、一端が第１輻射面５４に固定され他端が第２輻射面５５に固定される。複数の形状保持部材５３は、第１輻射面５４と第２輻射面５５の各平面上に略均一に配置されている。形状保持部材５３は、圧力発生空間ＰＳに大気圧より大きな圧力が生じた場合に、第１輻射面５４と第２輻射面５５とを平坦な形状に保持し、輻射部５２を板状の形状に保持する。なお、図２では、形状保持部材５３の一つにのみ符号を付して他の形状保持部材５３については符号を省略している。
【００２３】
［空気調和機の運転動作］
次に、この空気調和機１によって室内の空気調和を行う場合の運転動作について説明する。
冷房運転時には、室内熱交換器２２が、蒸発器として機能して、通過する空気から熱を奪う。室内ファン２３によって吸込み口２６から室内機ケーシング２１内に取り込まれた室内の空気は、室内熱交換器２２を通過する際に熱を奪われて冷却される。
【００２４】
この冷却された空気は、図３に示すように、接続口２７および空気取入れ口５１を通って、輻射部５２内の圧力発生空間ＰＳへと送られる。空気が圧力発生空間ＰＳに送られると、大気圧より大きな正の静圧が圧力発生空間ＰＳに生じる。すなわち、天井面に平行に流れる空気の流れ（実線矢印Ａ２参照）に対して垂直な方向に大気圧より大きな圧力が生じる。このため、冷却された空気が、輻射部５２の織布の繊維の隙間から押し出され、室内へと穏やかに吹き出される（実線矢印Ａ３参照）。
【００２５】
また、輻射部５２が冷却された空気と接触することによって、輻射部５２が冷却される。このため、輻射部５２による冷輻射が生じる（破線矢印Ａ４参照）。
このように、この空気調和機１では、輻射部５２の繊維の隙間からの穏やかな吹出しと、輻射部５２の冷輻射とによって、室内の冷房が行われる。
暖房運転時には、室内熱交換器２２が凝縮器として機能して、通過する空気を加熱する。加熱された空気は、冷房運転時と同様に、輻射部５２内の圧力発生空間ＰＳへと送られる。そして、加熱された空気が、織布の繊維の隙間から押し出され、室内へと穏やかに吹き出される。また、輻射部５２が加熱された空気と接触することによって、輻射部５２が加熱される。そして、輻射部５２による熱輻射が生じる。このように、この空気調和機１では、輻射部５２の繊維の隙間からの穏やかな吹出しと、輻射部５２の熱輻射とによって、室内の暖房が行われる。
【００２６】
［特徴］
（１）
輻射によって室内の温度調整を行う輻射面に、温度調整された空気が吹き出る複数の孔が設けられている場合、輻射面の表面に結露が生じる恐れがある。すなわち、空気が吹き出る孔と孔との間の距離が大きい場合には、室内空気が、吹き出る空気の流れの間を通って、輻射面近傍まで上昇し、輻射面と接触する。また、上昇してきた室内空気が、孔から吹き出る空気の渦流に巻き込まれて、室内空気と輻射面とが接触する恐れもある。そして、冷房運転時には、輻射面が室内空気よりも低温度になっているため、輻射面よりも温度の高い室内空気は、輻射面に接触することにより冷却される。このため、輻射面の表面において結露が生じ易い。
【００２７】
この輻射パネル構造体５では、第１輻射面５４が約１００μｍの目の粗さを有する織布で形成されている。つまり、織布の繊維の目が十分に細かく、繊維の目を空気が吹き出る孔と見なせば、孔と孔との間が十分に近接しているといえる。このため、第１輻射面５４の表面は、繊維の目の隙間から吹き出された空気によって覆われる。
【００２８】
図５に、空気の吹出しが行われている輻射部５２の一部を示す拡大図を示す。
輻射部５２の圧力発生空間ＰＳから第１輻射面５４の繊維の隙間を通って吹き出された空気（実線矢印Ａ５−Ａ９参照）は、繊維の目が細かいために互いに干渉し合う。そして、第１輻射面５４の表面から空気の吹出し方向に距離Ｄだけ離れた位置Ｂにおいて、空気の流速が均一となる。この距離Ｄは、以下の式によって与えられる。
【００２９】
Ｄ＝ｋＷ
Ｗは繊維の目と目の間の距離（孔と孔の間の距離）である。ｋは、定数であり、ｋ＝２．５〜３。０で与えられる。
織布は繊維の目が細かく、第１輻射面５４ではＷが約１００μｍであるため、距離Ｄは、非常に小さい。このため、第１輻射面５４の表面全体から均一風速の空気が吹き出ていると見なすことができる（実線矢印Ａ１０参照）。これにより、第１輻射面５４の表面と周囲空気との接触や巻き込みが防止される。
【００３０】
このように、この輻射パネル構造体５では、温度調整された空気が第１輻射面５４の表面全体から吹き出されていると見なすことができ、第１輻射面５４の表面と周囲空気との接触や巻き込みが防止されている。このため、第１輻射面５４の表面と周囲空気とが直接に接触することが防止されている。これにより、この輻射パネル構造体５では、第１輻射面５４での結露の発生を抑えることができる。なお、上記の効果は、第２輻射面においても同様である。
【００３１】
また、結露の発生が抑えられることにより、結露の発生を心配する必要が少ない。このため、冷房運転時においても輻射の効果を十分に発揮することができる。
（２）
この輻射パネル構造体５では、上述したように、第１輻射面５４の表面が繊維の隙間から吹き出された空気によって覆われる。このため、第１輻射面５４の外部表面温度は、輻射部５２内部の圧力発生空間ＰＳと同じ温度となる。これにより、この輻射パネル構造体５では、設定温度と同じ第１輻射面５４の表面温度で輻射を行うことができる。
【００３２】
（３）
温度調整された空気を直接室内へと吹き出す対流型空気調和機の場合、吹き出された空気が居住者等に直接当たる、いわゆるドラフトが生じやすい。このようなドラフトが生じると、居住者等は不快感を感じることが多い。また、空気の吹出しによって室内の温度調整が行われても、ドラフトによって居住者等の体感温度を悪化させてしまう恐れがある。
【００３３】
この空気調和機１では、上記のように、輻射と穏やかな空気の吹出しとによって室内の冷暖房を行うことができる。このため、ドラフトによる不快感を解消することができる。
（４）
従来よく利用されている対流型空気調和機の場合、室内の場所ごとに大きな温度差が生じる恐れがある。すなわち、吹き出される空気がよく届く場所と吹き出される空気が届き難い場所とで、温度差が生じ易い。もし、場所によって大きな温度差が生じると、場所による快不快の差が激しくなる。また、室内の高さ方向で大きな温度差が生じる恐れもある。
【００３４】
この空気調和機１では、第１輻射面５４の表面積を大きくすることにより、天井面近傍から室内の居住空間の広い範囲へ向けて、輻射と穏やかな空気の吹出しとを行うことができる。このため、室内全体を略均一に暖めまたは冷却することができる。これにより、室内の場所によって不快な温度差が生じることを防止することができる。従って、この空気調和機１では、居住者等の不快感を解消することができる。また、複数の居住者等が室内にいる場合であっても、多くの居住者等にとって快適な温度環境を発生させることができる。
【００３５】
逆に、第１輻射面５４の表面積を変えることにより、部分的に室内の温度環境を変えることも可能である。そして、居住者等が希望する室内の温度環境を発生させることにより、居住者等の快適感をさらに向上させることができる。
なお、輻射パネル構造体５は、天井面近傍に配置され薄い板状の形状を有している。このため、居住空間に面する第１輻射面５４の表面積を比較的大きくしても、居住者等の邪魔になる恐れは少ない。
【００３６】
（５）
輻射によって空気調和を行う従来の空気調和機では、輻射率の高い金属製の輻射パネルが用いられることが多い。
この空気調和機１では、輻射部５２が織布によって形成されているが、この織布は約０．９の輻射率を有する。このため、織布であっても輻射による室内の冷暖房を十分効果的に行うことができる。
【００３７】
（６）
この空気調和機１では、輻射パネル構造体５は、室内機ケーシング２１の接続口２７に脱着自在に取り付けられる。このため、輻射パネル構造体５を室内機ケーシング２１から取り外すことや、再び取り付けることが容易である。従って、輻射パネル構造体５の取付工事やメンテナンスが容易である。
【００３８】
また、輻射パネル構造体５を既存の対流型空気調和機に取り付け可能としてもよい。これにより、既存の対流型空気調和機を有効利用して空気調和機１と同等の機能を持つ空気調和機を構成することができる。
＜他の実施形態＞
（１）
上記の実施形態では、第１輻射面５４が約１００μｍの繊維の目の粗さを有しているが、第１輻射面５４は、１ｍｍ以下の繊維の目の間の距離を有していればよい。例えば、繊維の目の間の距離が、１μｍから１００μｍの間であってもよく、１００μｍから１ｍｍの間であってもよい。
【００３９】
（２）
上記の実施形態では、第１輻射面５４は、柔軟性を有する繊維系材料によって形成されているが、金属材料など剛性を有する材料で形成されてもよい。この場合、第１輻射面５４に約１００μｍの間隔で複数の孔を設けることにより、上記と同様の効果を奏することができる。
【００４０】
なお、上記の実施形態では、織布によって第１輻射面５４が形成されているため、金属板に約１００μｍの間隔で複数の孔を設けるよりも容易に上記の効果を有する第１輻射面５４を形成することができる。
また、上記の実施形態では、輻射部５２の材料として織布が使用されているが、織布以外の繊維系材料が使用されてもよい。
【００４１】
（３）
上記の実施形態では、輻射部５２全体が織布で形成されているが、第１輻射面５４のみが織布で形成され、他の部分は他の材料によって形成されてもよい。また、上記の実施形態では、輻射部５２全体から空気の吹出しが行われているが、第１輻射面５４のみから空気の吹出しが行われてもよい。
【００４２】
（４）
上記の実施形態では、０．９の輻射率を有する織布が使用されているが、０．６以上、より望ましくは０．７以上もしくは０．８以上の輻射率を有する織布であればよい。さらに、必要な輻射能力や用途に応じて０．６以下の輻射率であってもよく、この場合も室内の温度調整は可能である。
【００４３】
（５）
上記の実施形態では、天井面近傍に輻射パネル構造体５が配置されているが、輻射パネル構造体５が室内の側壁近傍に沿うように配置されてもよい。
（６）
上記の実施形態では、室内機ケーシング２１の接続口２７に輻射パネル構造体５が接続されているが、空気が吹き出るダクト出口が室内の側壁や天井面等に直接に設けられている場合には、輻射パネル構造体５がダクト出口に接続されてもよい。
【００４４】
（７）
上記の実施形態では、冷暖房運転が主として記載されているが、輻射部５２等へ湿度調整された空気が送られ、加湿・除湿運転が行われてもよい。また、冷暖房運転と加湿除湿運転とが同時に行われてもよい。さらに、温度調整等が行われていない室外の空気が輻射部５２へと送られ、換気運転が行われてもよい。
【００４５】
【発明の効果】
請求項１に記載の輻射パネル構造体では、輻射面に設けられる複数の孔が１ｍｍ以下の間隔で配置される。つまり、孔と孔との間が十分に近接している。このため、孔から吹き出た空気が互いに干渉し合う。従って、輻射面の表面は、複数の孔から吹き出された温度調整された空気によって覆われる。このため、輻射面の表面と周囲空気とが直接に接触することが抑えられる。これにより、この輻射パネル構造体では、輻射面での結露の発生を抑えることができる。
【００４６】
請求項２に記載の輻射パネル構造体では、輻射面が繊維系材料によって形成される。このため、圧力発生空間に生じた大気圧より大きな圧力によって、輻射面の繊維の目の隙間から温度調整された空気が室内へと吹き出される。このため、この輻射パネル構造体では、輻射面からの空気の吹出しが穏やかである。従って、この輻射パネル構造体では、穏やかな吹出しと輻射とによって室内の空気調和を行うことができる。
【００４７】
請求項３に記載の空気調和機では、温度調整部によって空気の温度調整が行われ、温度調整された空気が送風部によって空気取入れ部へと送られる。そして、圧力発生空間の空気の温度を利用した吹出し部からの輻射によって室内の温度調整が行われる。また、圧力発生空間の空気が吹出し部から室内へと吹き出される。このように、この空気調和機は、輻射と空気の吹出しとによって室内の温度調整を行うことができる。これにより、この空気調和機では、ドラフトによる不快感を低減することができる。
【図面の簡単な説明】
【図１】本発明の一実施形態にかかる空気調和機を示す図。
【図２】輻射パネル構造体の外観図。
【図３】輻射パネル構造体の側面図。
【図４】空気調和機の制御ブロック図。
【図５】空気の吹出しが行われている輻射部の一部を示す拡大図。
【符号の説明】
１              空気調和機
５              輻射パネル構造体
２２            室内熱交換器（温度調整部）
２３            室内ファン（送風部）
５１            空気取入れ口（空気取入れ部）
５２            輻射部（圧力発生空間構成部）
５４            第１輻射面（輻射面）
ＰＳ            圧力発生空間
【図１】
2004251546.tif 000003
【図２】
2004251546.tif 000004
【図３】
2004251546.tif 000005
【図４】
2004251546.tif 000006
【図５】
2004251546.tif 000007